(57)【特許請求の範囲】
【請求項１】
履物に挿入され胛被内面を支持保形する胛被支持部と、この胛被支持部の履口側の端部を塞いで前記胛被支持部の端部外側形状を保持する端部支持部とを備えた、底の開口した殻状構造の履物用保形具であって、
前記端部支持部の左側部および右側部のうち少なくとも一方の爪先高さより上の部分をほぼ平坦な平坦端面部とするとともに、この平坦端面部を形成した側の前記胛被支持部の後端をほぼ爪先高さで突出させかつ中心側に狭めて突出した部分を側面突出部とする一方、前記平坦端面部の下端縁と前記側面突出部の上端縁とを連結した部分を連結平面部としてなることを特徴とする履物用保形具。
【請求項２】
前記端部支持部の爪先高さより上の部分の全てを平坦端面部とするとともに、前記胛被支持部の両側から突出させた前記側面突出部同士を連結してなることを特徴とする請求項１記載の履物用保形具。
【請求項３】
前記平坦端面部に連結しかつ後方に突き出した挿脱用の把持部が形成されていること特徴とする請求項１記載の履物用保形具。
【請求項４】
前記平坦端面部をほぼ垂直面で構成するとともに、前記連結平面部をほぼ水平面で構成したことを特徴とする請求項１〜３のいずれかに記載の履物用保形具。
【発明の詳細な説明】
【０００１】
【発明の属する技術分野】
この発明は、履物用保形具に関し、靴などの内部に挿入して変形を防止して保形できるようにするもので、各種サイズの内側形状に応じて自ら変形して形状調整される機能を有するとともに、高い形状保持性を有したものである。
【０００２】
【従来の技術】
従来から靴などの履物を保管したり、製造工場などから輸送する場合などに変形を防止するため、履物の内部に当て物（保形具）を挿入することが行われている。
【０００３】
このような履物用保形具としては、予め履物の内部形状に沿うように成形したもの等が使用され、例えばエアーパット、プラスチックパット、紙パットなどが使用されている。
【０００４】
【発明が解決しようとする課題】
ところが、このような履物用保形具のうちエアーパットの場合には、製造工程が単純で安価に製造できるものの、剛性が小さく変形しやすいため保形性が不足し、外被が破損して内部のエアーが抜けると保形効果が減退してしまう一方、容積が大きく保管のために広いスペースが必要になり、廃棄処理による環境への影響が問題となる。
【０００５】
また、プラスチックパットの場合には、エアーパットに比べ強度があり、足形状に近似させて成形でき保形性があり、柔軟性や弾力性に富むことから各種サイズの履物に対応できるものの、大掛かりな製造設備が必要でコストが高くなるとともに、廃棄処理による環境への影響が問題となる。
【０００６】
さらに、紙パットの場合には、プラスチックパットの材料を紙に変えたもので、廃棄する場合に再生利用することができ、足形状に近似させて成形できるものの紙自体の型崩れが生じ易く、保形性が小さく、しかも各種サイズの履物に対応させることが難しいという問題がある。
【０００７】
この発明は、上記従来技術の課題に鑑みてなされたもので、履物のサイズが変わっても内部形状に応じて自ら変形して調整され、高い保形性を有する履物用保形具を提供しようとするものである。
【０００８】
【課題を解決するための手段】
上記課題を解決するためこの発明の請求項１記載の履物用保形具は、履物に挿入され胛被内面を支持保形する胛被支持部と、この胛被支持部の履口側の端部を塞いで前記胛被支持部の端部外側形状を保持する端部支持部とを備えた、底の開口した殻状構造の履物用保形具であって、前記端部支持部の左側部および右側部のうち少なくとも一方の爪先高さより上の部分をほぼ平坦な平坦端面部とするとともに、この平坦端面部を形成した側の前記胛被支持部の後端をほぼ爪先高さで突出させかつ中心側に狭めて突出した部分を側面突出部とする一方、前記平坦端面部の下端縁と前記側面突出部の上端縁とを連結した部分を連結平面部としてなることを特徴とするものである。
【０００９】
この履物用保形具によれば、胛被支持部と履口側の端部を塞ぐ端部支持部とを備えた、底の開口した殻状構造の履物用保形具の端部支持部の左側部および右側部のうち少なくとも一方の爪先高さより上の部分をほぼ平坦な平坦端面部とすることで、高い保形性を確保するようにし、平坦端面部を形成した側の胛被支持部の後端をほぼ爪先高さで突出させかつ中心側に狭めて突出した部分を側面突出部とするとともに、平坦端面部の下端縁と側面突出部の上端縁とを連結した部分を連結平面部とすることで、胛被支持部の側面の後端および側面突出部が履物の土踏まずによって押されると、ほぼ爪先高さ部分から下の部分が変形して履物内部の形状に対応でき、各種サイズの履物への対応が容易にできるとともに、軽量化を図ると同時に積み重ねて保管することもできるようになる。
【００１０】
また、この発明の請求項２記載の履物用保形具は、請求項１記載の構成に加え、 前記端部支持部の爪先高さより上の部分の全てを平坦端面部とするとともに、前記胛被支持部の両側から突出させた前記側面突出部同士を連結してなることを特徴とするものである。
【００１１】
この履物用保形具によれば、端部支持部の爪先高さより上の部分の全てを平坦端面部とすることで、高い保形性を確保するようにし、胛被支持部の両側から突出させた側面突出部同士を連結することで、一方側だけでなく、両側のほぼ爪先高さ部分から下の部分が変形し易く、一層容易に履物内部の形状に対応させることができるとともに、各種サイズの履物への対応が容易となる。
【００１２】
さらに、この発明の請求項３記載の履物用保形具は、請求項１記載の構成に加え、前記平坦端面部に連結しかつ後方に突き出した挿脱用の把持部が形成されていること特徴とするものである。
【００１３】
この履物用保形具によれば、平坦端面部に連結しかつ後方に突き出した挿脱用の把持部によって簡単に挿脱することができ、一層取り扱いが容易となる。
【００１４】
また、この発明の請求項４記載の履物用保形具は、請求項１〜３のいずれかに記載の構成に加え、前記胛被支持部の履口側端部を塞ぐ前記端部支持部または前記平坦端面部をほぼ垂直面で構成するとともに、前記連結平面部をほぼ水平面で構成したことを特徴とするものである。
【００１５】
この履物用保形具によれば、端部支持部または平坦端面部をほぼ垂直面で構成し、連結平面部をほぼ水平面で構成するようにしており、上下方向および幅方向の剛性が向上し、各種サイズへの対応性を保持したまま一層高い保形性を確保することができるようになる。
【００１８】
【発明の実施の形態】
以下、この発明の履物用保形具の一実施の形態について図面に基づき詳細に説明する。
【００１９】
図１および図２はこの発明の履物用保形具を靴用に適用した場合の一実施の形態にかかり、図１は左足用の外観斜視図、図２は靴に挿入した状態の概略平面図である。
【００２０】
この履物用保形具１０は、例えば紙を用いて型成形することで所定の厚みを備え、底部が開口した中空の殻状構造に形成されており、主要部として胛被支持部１１と、この胛被支持部１１の履口側端部１１ａを塞ぐ端部支持部１２とを備えて構成されている。
【００２１】
この履物用保形具１０の胛被支持部１１は、履物である靴の内部に挿入されて胛被内面を支持するための部分であり、人間の足型の甲から爪先までの外面形状に近似した形状に成形されるとともに、底部開口縁が靴の接足面の内周に沿った形状に成形され、側面の周囲下端部がほぼ爪先高さまで立ち上がり全体が滑らかな曲面で構成された中空状になっている。
【００２２】
この胛被支持部１１の履口側の端部１１ａは靴の履口の先端部近傍に位置するように設けられ、この履口側端部１１ａを塞ぐ端部支持部１２がほぼ垂直な平面に成形された平坦端面部１２ａで構成され、胛被支持部１１の端部の外側形状を保持して外側からの変形を防止できるようにしてある。
【００２３】
この履物用保形具１０では、平坦端面部１２ａの下端縁１２ｂがほぼ爪先高さＨまでとされる一方、胛被支持部１１の側面後端がほぼ爪先高さＨで後方の履口側に突き出すとともに、中心側に狭めるように一体に両側から側面突出部１３が形成され、両側の側面突出部１３同志が連結側面部１３ａを介して連結され、上から見た平面形状が略台形状になっている。
【００２４】
また、この履物用保形具１０では、胛被支持部１１の履口側の端部１１ａを塞ぐ端部支持部１２を構成する平坦端面部１２ａに後方に突き出して中空状の把持部１４が一体に形成されており、上部が円弧状の大小２つの門形部１４ａ，１４ｂで構成され、その下端縁１４ｃがほぼ爪先高さＨまでとしてある。そして、大小２つの門形部１４ａ，１４ｂで構成することで強度を確保した把持部１４は、平坦端面部１２ａに小さな門形部１４ｂの周縁が連結され、これに続く後方の大きな門形部１４ａの後端面は塞がれて殻状とされ、その下端部は連結側面部１３ａと兼用されている。
【００２５】
このような履物用保形具１０では、平坦端面部１２ａの下端縁１２ｂと、側面突出部１３ａの上端縁１３ｂと、把持部１４の下端縁１４ｃとで形成される平面空間が連結平面部１５で塞がれ、底部のみが開口した完全な殻状構造になっており、この連結平面部１５が三角形状のほぼ水平面で構成してある。
【００２６】
なお、この履物用保形具１０は、これまで説明した左足用のものと対称的な形状に成形された右足用のものと１対で使用されることは言うまでもない。
【００２７】
このように構成した履物用保形具１０では、胛被支持部１１の履口側端部１１ａがほぼ垂直な平坦端面部１２ａおよび後方に突き出た把持部１４で塞いだ殻状構造としてあるので、胛被支持部１１の最も型崩れし易い履口側端部１１ａの外形を平坦端面部１２ａおよび把持部１４で補強することができ、保形性を向上でき、特に上方からの力に対する保形性を大巾に向上することができる。
【００２８】
一方、この履物用保形具１０では、底部開口縁からほぼ爪先高さＨまでの側面全周がほぼ垂直に立ち上げられ、しかも補強機能をなす平坦端面部１２ａの下端縁１２ｂがほぼ爪先高さＨに位置しているので、履物用保形具１０の側面全周がほぼ爪先高さＨの所から内側に屈曲し易く、特に最も幅が広い平坦端面部１２ａの下側の胛被支持部１１の側面後端の近傍が屈曲し易く、図２に示すように、靴１に装着した場合には、内側に盛り上がっている土踏まず２部分に押されて屈曲され靴の内面に密着させることができ、靴のサイズが異なる場合にもこの屈曲によって対応して調整されることになる。
【００２９】
すなわち、履物用保形具１０のほぼ爪先高さＨの側面全周は、胛被支持部１１の下端部分、側面突出部１３および把持部１４の後端面を兼ねる連結側面部１３ａで構成され、これらの下端開口縁までは、屈曲し易くなっているが、ほぼ爪先高さＨのところに平坦端面部１２ａの下端縁１２ｂが胛被支持部１１と直交する水平幅方向に配置されるとともに、連結平面部１５が水平面として配置してあるので、ほぼ爪先高さＨより上側の屈曲が防止され、保形性を保つことができる。
また、両側の側面突出部１３を連結する連結側面部１３ａは、把持部１４の大小門型部１４ａ，１４ｂの下端縁１４ｃが直交して配置されるとともに、連結平面部１５が水平面として配置してあるので、ほぼ爪先高さＨより上側の屈曲が防止され、型崩れを防止して保形性を保つことができる。
【００３０】
さらに、両側の側面突出部１３が中心側に狭まった平面形状としてあるので、靴への着脱の際に靴内面と干渉せず、履物用保形具１０を把持部１４をつかんで簡単に挿入したり、取り出すことができる。
【００３１】
また、この靴用保形具１０の素材を紙としても保形性を保持できるとともに、型崩れも防止でき、しかも廃棄する場合に資源として再生利用でき、資源の無駄がなく、環境にもやさしいものとなり、プラスチックの場合に比べ軽量化を図ることもできる。
【００３２】
さらに、底部が開口した殻状構造としてあるので、履物用保形具１０を積み重ねて保管することができ、少ないスペースで保管することができる。
【００３３】
以上のように、この履物用保形具１０は、主要な構成要素として平坦端面部１２ａおよび連結平面部１５を設けたことで、ほぼ爪先高さＨより下側部分を屈曲し易くして各サイズの靴に挿入するだけで対応させることができる一方、これより上側部分は型崩れを防止して強度を保つことができ、相反する機能の要求を満足する優れた保形具となる。
【００３４】
このような履物用保形具を紙で成形した本案紙パットと従来のエアーパット、プラスチックパットおよび従来の紙パットとを比較してまとめたものが表１である。
【００３５】
【表  １】
0003720666.tif 000002
【００３６】
なお、この履物用保形具は、紙で成形するのが最も良いが、例えばポリエチレンやポリプロピレンなどのプラスチック材料で成形したり、他のポリマーや不織布などを用いて成形しても良い。
【００３７】
次に、この発明の履物用保形具の他の実施の形態について説明する。
図３に示す履物用保形具２０は、既に説明した履物用保形具１０と把持部２１の形状が異なるとともに、周囲側面の屈曲をし易くするほぼ爪先高さＨをＨ1 と高くしたものであり、他の構成は同一であるので、同一部分に同一記号を記し、説明は省略する。
【００３８】
この履物用保形具１０では、把持部２１が胛被支持部１１の履口側端部１１ａを塞ぐ端部支持部１２の平坦端面部１２ａの上端から後方の連結側面部１３ａまでの傾斜面２１ａを備えた三角柱状の殻状構造としてあり、この把持部２１によって平坦端面部１２ａが両側に分割された形状となっている。
【００３９】
そして、この履物用保形具１０では、平坦端面部１２ａの下端縁１２ｂがほぼ爪先高さＨ1 と高くしてあり、これに対応して把持部２１の下端縁２１ｂと側面突出部１３の上端縁１３ｂもほぼ爪先高さＨ1 に高くされるとともに、両側の側面突出部１３をつなぐ連結側面部１３ａもほぼ爪先高さＨ1 に高くされ、これら平坦端面部１２ａの下端縁１２ｂと、側面突出部１３の上端縁１３ｂと、把持部２１の下端縁２１ｂとで形成される三角形状の平面空間が水平の連結平面部１５で連結してある。
【００４０】
このような履物用保形具２０によれば、胛被支持部１１などの外側形状が端部支持部１２より後方に形成される平坦端面部１２ａ、側面突出部１３および把持部２１の形状によって強度が保たれ、特に上下方向からの力に対しては、平坦端面部１２ａの垂直面および把持部２１の両側の三角形状の垂直面によって強度向上が図られ、一方、側方からの力に対しては、水平な連結平面部１５および把持部２１の傾斜面２１ａによって強度向上が図られる。
【００４１】
これにより、型崩れを防止して保形性を持続することができる。
【００４２】
また、この履物用保形具２０では、平坦端面部１２ａの下端縁１２ｂ、側面突出部１３の上端縁１３ｂおよび把持部２１の下端縁２１ｂがほぼ爪先高さＨ1 と高く配置され、これらをつなぐ水平の連結平面部１５もＨ1 と高い位置に形成してあるので、履物用保形具２０の側面全周、特に胛被支持部１１の側面後端部近傍の屈曲が開始される位置がほぼ爪先高さのＨ1 の部分からとなって屈曲代が大きく、屈曲し易くなり、サイズの異なる靴への適合性が向上する。
【００４３】
なお、この平坦端面部１２ａの下端縁１２ｂ、側面突出部１３の上端縁１３ｂおよび把持部２１の下端縁２１ｂが配置されるほぼ爪先高さＨ1 は高くすれば屈曲代が増大してサイズの異なる靴への適合性が向上する一方、上下方向の力に対する保形性が僅かずつ低下することになるので、装着する靴に必要とされる保形強度と靴のサイズの範囲によって適宜決定すれば良く、最も多く使用するサイズの爪先高さＨに対して、例えば±５mm程度の範囲とすれば良い。
【００４４】
次に、図４に示す履物用保形具３０は、保形に必要な強度とサイズの異なる靴などへの適合性向上のための構造は必ずしも胛被支持部１１の両側に設ける必要がないことから、一方側にだけ保形強度の向上および各サイズへの適合性向上のため構造を設けたものである。
【００４５】
この履物用保形具３０では、胛被支持部１１の履口側端部１１ａを塞ぐ端部支持部３１が中央部より片側の１／４のドーム状のドーム状支持部３１ａともう片側のほぼ垂直平面の平坦端面部３１ｂとで構成され、平坦端面部３１ｂの下端縁３１ｃがほぼ爪先高さＨの所に配置してある。そして、この平坦端面部３１ｂ側の胛被支持部１１の側面後端が後方の履口側に突き出すとともに、中心側に狭めめられた側面突出部１３が形成され、１／４のドーム状のドーム状支持部３１ａと連結してある。
【００４６】
さらに、平坦端面部３１ｂの下端縁３１ｃと、側面突出部１３の上端縁１３ｂと１／４のドーム状のドーム状支持部３１ａの平坦な側面部３１ｄの下端縁３１ｅとで形成される三角形状の平面空間が水平な連結平面部１５で連結されており、上記履物用保形具１０，２０と同一の構造となっている。
【００４７】
このような履物用保形具３０によれば、片側の平坦端面部３１ｂによって保形強度を得ることができる一方、平坦端面部３１ｂの下端縁３１ｃと、側面突出部１３の上端縁１３ｂと１／４のドーム状のドーム状支持部３１ａの平坦な側面部３１ｄの下端縁３１ｅとで形成される三角形状の平面空間を水平な連結平面部１５で連結してあるので、ほぼ爪先高さＨより下側を屈曲し易くして各サイズへの対応性を確保することができるとともに、これより上側の部分の保形強度を保つこともできる。
【００４８】
また、図５に示す履物用保形具４０では、把持部を省略したものであり、胛被支持部１１およびその履口側端部１１ａの全面を塞ぐ端部支持部１２を構成する平坦端面部１２ａと、略台形状に後方に突き出す側面突出部１３および連結側面部１３ａと、これら平坦端面部１２ａの下端縁１２ｂと側面突出部１３の上端縁１３ｂを連結する水平な連結平面部１５で構成してある。
【００４９】
この履物用保形具４０の胛被支持部１１の側面後端から後方に突き出す側面突出部１３としては、図５（ｂ）に示すように、平面形状を半円状に形成したり、同図（ｃ）に示すように、平面形状を三角形状にしても良く、側面突出部１３が中心側に狭めるようにしてあればこれら形状に限らず他の形状でも良く、靴など履物への挿脱の際、履物内面と干渉せずに行うことができる。
【００５０】
このような履物用保持具４０によっても把持部が無いだけで、胛被支持部１１の外形を保持する保形強度を保つことができるとともに、ほぼ爪先高さから下の部分を屈曲させることができ、各サイズの靴への適合性を向上することができる。
【００５１】
なお、上記実施の形態で説明した履物用保形具１０，２０，３０，４０の平坦端面部の下端縁を水平に配置し、連結平面部１５を水平面で構成する場合で説明したが、図６（ａ）に示すように、履物用保形具５０では、平坦端面部３１ｂの下端縁３１ｃを外側が低く中心側が高い傾斜した直線状としたり、連結平面部１５を傾斜した三角形状の平面としたり、あるいは同図（ｂ）に示すように、平坦端面部１２ａの下端縁１２ｂを水平にしたままその高さをほぼ爪先高さＨ，Ｈ1 の範囲で高くし、連結平面部１５を後方が低くなるような傾斜面などで構成するようにしても良い。
【００５２】
以上の実施の形態から明らかなように、この発明の履物用保形具１０〜５０では、平坦端面部１２ａ，３１ｂによって胛被支持部１１の外側形状を保つ保形強度の向上を図ることができるとともに、胛被支持部１１の側面後端からほぼ爪先高さＨ，Ｈ1 の側面突出部１３を形成して平坦端面部１２ａ，３１ｂの下端縁１２ｂ，３１ｃの外側端をほぼ爪先高さＨ，Ｈ1 とし、平坦端面部１２ａ，３１ｂの下端縁１２ｂ，３１ｃと側面突出部１３の上端縁１３ｂを連結する連結平面部１５を設けることで、胛被支持部１１の側面後端近傍を屈曲し易くして各サイズへの適合性を向上することができるので、かかる機能を発揮する範囲で平坦端面部１２ａ，３１ｂや平面連結部１５など各面の角度や配置などを変えるようにしても良い。
【００５３】
【発明の効果】
以上述べたように、この発明の請求項１記載の履物用保形具によれば、胛被支持部と履口側の端部を塞ぐ端部支持部とを備えた、底の開口した殻状構造の履物用保形具の端部支持部の左側部および右側部のうち少なくとも一方の爪先高さより上の部分をほぼ平坦な平坦端面部としたので、高い保形性を確保することができる。
さらに、この履物用保形具によれば、平坦端面部を形成した側の胛被支持部の後端をほぼ爪先高さで突出させかつ中心側に狭めて突出した部分を側面突出部とするとともに、平坦端面部の下端縁と側面突出部の上端縁とを連結した部分を連結平面部としたので、胛被支持部の側面の後端および側面突出部が履物の土踏まずによって押されると、ほぼ爪先高さ部分から下の部分が変形して履物内部の形状に対応させることができ、各種サイズの履物への適用が容易にできるとともに、軽量化を図ると同時に積み重ねて保管することもできる。
【００５４】
また、この発明の請求項２記載の履物用保形具によれば、端部支持部の爪先高さより上の部分の全てを平坦端面部としたので、高い保形性を確保することができ、胛被支持部の両側から突出させた側面突出部同士を連結したので、一方側だけでなく、両側のほぼ爪先高さ部分から下の部分が変形し易く、一層容易に履物内部の形状に対応させることができるとともに、各種サイズの履物への適用が容易となる。
【００５５】
さらに、この発明の請求項３記載の履物用保形具によれば、平坦端面部に連結しかつ後方に突き出した挿脱用の把持部を形成したので、簡単に挿脱することができ、一層取り扱いが容易となる。
【００５６】
また、この発明の請求項４記載の履物用保形具によれば、端部支持部または平坦端面部をほぼ垂直面で構成し、連結平面部をほぼ水平面で構成するようにしたので、上下方向および幅方向の剛性が向上し、各種サイズへの対応性を保持したまま一層高い保形性を確保することができる。
【図面の簡単な説明】
【図１】この発明の履物用保形具を靴用に適用した場合の一実施の形態にかかる左足用の外観斜視図である。
【図２】この発明の履物用保形具を靴用に適用した場合の一実施の形態にかかる靴に挿入した状態の概略平面図である。
【図３】この発明の履物用保形具を靴用に適用した場合の他の一実施の形態にかかる左足用の外観斜視図である。
【図４】この発明の履物用保形具を靴用に適用した場合のさらに他の一実施の形態にかかる左足用の外観斜視図である。
【図５】この発明の履物用保形具を靴用に適用した場合の他の一実施の形態にかかるそれぞれ左足用の外観斜視図である。
【図６】この発明の履物用保形具を靴用に適用した場合のさらに他の一実施の形態にかかるそれぞれ左足用の外観斜視図である。
【符号の説明】
１０，２０，３０，４０，５０  履物用保形具
１１  胛被支持部
１１ａ  履口側端部
１２  端部支持部
１２ａ  平坦端面部
１２ｂ  下端縁
１３  側面突出部
１３ａ  連結側面部
１３ｂ  上端縁
１４  把持部
１４ａ  大門形部
１４ｂ  小門形部
１５  連結平面部
２１  把持部
２１ａ  傾斜面
２１ｂ  下端縁
３１  端部支持部
３１ａ  ドーム状支持部
３１ｂ  平坦端面部
３１ｃ  下端縁
３１ｄ  側面部
３１ｅ  下端縁
Ｈ，Ｈ1   ほぼ爪先高さ
１  靴
２  土踏まず
【図１】
0003720666.tif 000003
【図２】
0003720666.tif 000004
【図３】
0003720666.tif 000005
【図４】
0003720666.tif 000006
【図５】
0003720666.tif 000007
【図６】
0003720666.tif 000008